(57)【要約】【課題】重量の大きなものでも、又、狭いスペースでも、洗濯機を防水パン上に容易に設置できるようにする。【解決手段】棒状又は板状の設置用部材６であって、それを防水パン１０の前部立上がり部１１上と後部立上がり部１２上との間に渡し置き、その上で、洗濯機を後上がり状態に傾けて、後部を設置用部材６の前部に載せる。次いで、洗濯機を押込みながら水平に上げ、その後、洗濯機を設置用部材６の上面をスライドさせて更に押込むことにより、防水パン１０上に移動させる。そして、その後、洗濯機を左右方向に傾けて設置用部材６を抜き取り、洗濯機を防水パン１０に置く。かくして、洗濯機を、重量の大きなものでも、又、狭いスペースでも、防水パン１０上に容易に設置することができる。【選択図】図１
2008220477.tif 000002
【特許請求の範囲】
【請求項１】
棒状又は板状の部材であって、洗濯機を載置するための防水パンの前部立上がり部上と後部立上がり部上との間に渡し置かれ、上面を前記洗濯機がスライドして移動されることを特徴とする洗濯機の設置用部材。
【請求項２】
個数を複数としたことを特徴とする請求項１記載の洗濯機の設置用部材。
【請求項３】
上面に、洗濯機がスライドするときの抵抗を減ずる手段を施したことを特徴とする請求項１記載の洗濯機の設置用部材。
【請求項４】
厚みを、洗濯機の脚部の突出寸法よりも大きくしたことを特徴とする請求項１記載の洗濯機の設置用部材。
【請求項５】
両端面部の少なくとも一方に、家屋の壁面の保護をする手段を施したことを特徴とする請求項１記載の洗濯機の設置用部材。
【請求項６】
下面に、防水パンの前部立上り部と後部立上り部に対して滑り止めをする手段を施したことを特徴とする請求項１記載の洗濯機の設置用部材。
【請求項７】
伸縮可能に構成したことを特徴とする請求項１記載の洗濯機の設置用部材。
【発明の詳細な説明】
【技術分野】
【０００１】
本発明は、洗濯機を防水パン上に設置するための洗濯機の設置用部材に関する。
【背景技術】
【０００２】
従来より、洗濯機を防水パン上に設置して使用することが行われている。洗濯機用の防水パンは、洗濯機から滴下した水もしくは漏れた水を受け溜めて、家屋の床面にその水が及ばないようにするためのもので、洗濯機の平面形状に合って且つそれよりもやゝ大きな四角形状を成し、そして、その周囲四辺部にはそれぞれ立上がり部が設けられ、全体を囲っている。
【０００３】
そのような防水パン上に洗濯機を設置するには、通常二人の作業者で、防水パンの一辺又は二辺の立上がり部を越えさせ、四辺の立上がり部の内方に洗濯機を位置させて降下させるようになっている。
なお、洗濯機の設置台や載置台としては多くのものがあるが、それらは洗濯機を載置するものであり、例えば防水パン自身であって、その防水パン上に洗濯機を設置するための洗濯機の設置用部材ではない（例えば特許文献１、２参照）。
【特許文献１】特開２００２−３５４８３号公報
【特許文献２】特開２００４−３４４４２８号公報
【発明の開示】
【発明が解決しようとする課題】
【０００４】
近年の洗濯機、特には洗濯機能、脱水機能だけでなく、乾燥機能まで具えた洗濯機、更にはその乾燥機能をヒートポンプで果たす洗濯機は、重量が１００〔ｋｇ〕近く、もしくは１００〔ｋｇ〕超あって、重い。このように重量の大きな洗濯機を上述のように持ち上げて防水パンの一辺又は二辺の立上がり部を越えさせることにより防水パン上に設置するのは、非常に困難であり、多大な労力を要していた。ことに、家屋の中でも、後及び左右の三方を壁で囲まれた狭いスペースでは、重量の大きな洗濯機を上述のようにして防水パン上に設置するのは、きわめて困難であった。
【０００５】
本発明は上述の事情に鑑みてなされたものであり、従ってその目的は、重量の大きなものでも、又、狭いスペースでも、洗濯機を防水パン上に容易に設置することのできる洗濯機の設置用部材を提供するにある。
【課題を解決するための手段】
【０００６】
上記目的を達成するために、本発明の洗濯機の設置用部材においては、棒状又は板状の部材であって、洗濯機を載置するための防水パンの前部立上がり部上と後部立上がり部上との間に渡し置かれ、上面を前記洗濯機がスライドして移動されることを特徴とする（請求項１の発明）。
【発明の効果】
【０００７】
上記手段によれば、設置用部材を防水パンの前部立上がり部上と後部立上がり部上との間に渡し置き、その上で、洗濯機を後上がり状態に傾けて、後部を設置用部材の前部に載せる。次いで、洗濯機を押込みながら水平に上げ、その後、洗濯機を設置用部材の上面をスライドさせて更に押込むことにより、防水パン上に移動させる。そして、その後、洗濯機を左右方向に傾けて設置用部材を抜き取り、洗濯機を防水パンに載せる。かくして、洗濯機を、重量の大きなものでも、又、狭いスペースでも、防水パン上に容易に設置することができる。
【発明を実施するための最良の形態】
【０００８】
以下、本発明の第１実施例（第１の実施形態）につき、図１ないし図１１を参照して説明する。
まず、図２には、洗濯機１を示している。この洗濯機１はドラム式の乾燥機能付き洗濯機であって、前面に扉２を有する外箱３の内部に、図示はしないが、洗濯装置及び脱水装置として、洗濯兼脱水槽であるドラムと、ドラムを横軸状に収納した水槽、水槽内に給水する給水装置、水槽内から排水する排水装置、ドラムを回転駆動する駆動装置であるモータを有している。
【０００９】
そのほか、洗濯機１は、乾燥装置として、ドラム内に通じた空気循環路、空気循環路を通してドラム内の空気を循環させる送風機、空気循環路を通る空気を凝縮除湿する除湿手段としての蒸発器、蒸発器で除湿した空気を加熱する加熱手段としての凝縮器、これら凝縮器及び蒸発器と圧縮機並びに絞り器とで冷凍サイクルを構成したヒートポンプを有している。
外箱３の下面部には、後部の左右に脚部４を有しており（右側の一方のみ図示）、前部の左右に脚部５を有している。この場合、脚部４が固定構造であるのに対して、脚部５は突出寸法が調整可能なものである。
【００１０】
これに対して、図３には、洗濯機の設置用部材６を示している。この設置用部材６は、棒状、特には断面が図４に示すように四角形の棒状部材であって、この場合、木製特には樫など堅固な木材から成っており、その表面は滑らかに処理している。又、この設置用部材６の上面には、上記洗濯機１が後述のようにスライドするときの抵抗を減ずる手段として、合成樹脂特にはフッ素樹脂製で、該設置用部材６の長手方向に延びる細い凸条７を長手方向と直角の方向に多数並べて有するシート８の貼着をしている。
【００１１】
更に、この設置用部材６の厚みｔは、上記シート８を含まなくても、洗濯機１の前記脚部４，５の突出寸法Ｌ（図６参照）よりも大きくしている。加えて、この設置用部材６の両端面部の一方には、家屋の壁面に当たったときのその壁面の保護をする手段として、フェルト９の貼着をしている。なお、このフェルト９の貼着は、設置用部材６の両端面部の両方に施すようにしても良い。又、壁面の保護をする手段としては、フェルト９以外の布や弾力性のあるシート等を用いるようにしても良い。
【００１２】
一方、図１には、洗濯機用の防水パン１０を示しており、この防水パン１０は、例えばプラスチック製で、標準的洗濯機（全自動洗濯機）の平面形状に合って且つそれよりもやゝ大きな四角形状を成し、その周囲四辺部にはそれぞれ立上がり部１１〜１４を有し、この立上がり部１１〜１４によって全体を囲っている。そのほか、この防水パン１０の四隅部には洗濯機の脚部を載置するための台部１５を有しており、ほゞ中央部には、家屋の排水口につながるエルボ形のホース継手１６を有している。
【００１３】
上記防水パン１０上には前記洗濯機１を設置するようになっており、以下には、その手順について述べる。
まず、図１に示すように、防水パン１０を家屋の設置スペース１７の床面１８上に置く。設置スペース１７は、図示例では、床面１８のほかに、奥側壁面１９、左側壁面２０、右側壁面２１で三方を囲まれており、狭小となっている。
【００１４】
上記防水パン１０が有したホース継手１６には防水パン側の排水ホース２２を接続する。そして、設置用部材６を複数例えば２本を用意し、それらをそれぞれ防水パン１０の前部立上がり部１１上と後部立上がり部１２上との間に渡し置く。このとき、設置用部材６は、シート８を上側とし、フェルト９を奥側として設置スペース１７の奥側壁面１９に当接させる。
【００１５】
次いで、図５に示すように、洗濯機１を後上がり状態に傾けて、後部を設置用部材６の最前部に載せる。その後、図６に示すように、洗濯機１を押込みながら水平に上げ、そして、その状態から、洗濯機１を設置用部材６の上面（シート８上）をスライドさせて更に押込むことにより、図７及び図８に示すように、防水パン１０上（脚部４，５が台部１５に臨む位置）に移動させる。
このとき、設置用部材６の上面では、シート８が洗濯機１のスライド抵抗を減ずる働きをし、設置用部材６の後端部では、フェルト９が設置スペース１７の奥側壁面１９の保護をする働きをする。
【００１６】
この後、図９に示すように、洗濯機１を左右いずれか（図９例は左側）の設置用部材６を支点としてその方向に傾け、それにより下面を浮かせた反対側の下方にある設置用部材６を抜き取る。その後、洗濯機１を戻して、設置用部材６を抜き取った側の洗濯機１の脚部４，５をそれらの直下に位置した防水パン１０の台部１５に載せ、そこを支点として図１０に示すように洗濯機１を上述とは反対の方向（図１０例は右側）に傾ける。そして、それにより下面を浮かせた側の下方にある設置用部材６を抜き取る。その後、更に、洗濯機１を戻して、設置用部材６を抜き取った側の洗濯機１の脚部４，５をそれらの直下に位置した防水パン１０の台部１５に載せる。
【００１７】
なお、その後には、前記防水パン側の排水ホース２２と洗濯機１の排水ホース２３との長さ調整をして、図１１に示すように、それらを接続する。
かくして、防水パン１０上の洗濯機１の設置が完了する。
【００１８】
このように本構成のものによれば、設置用部材６を使用することにより、洗濯機１を、重量の大きなものでも、又、後及び左右の三方を壁で囲まれた狭い設置スペース１７でも、防水パン１０上に容易に設置できるものであり、洗濯機１の設置性の大幅な向上を図ることができる。
又、設置用部材６は個数を複数としており、それによって、洗濯機１を設置用部材６に載せるときや、載せて後にスライドさせるときの、洗濯機１の傾きをなくして安定性を良くすることができる。
【００１９】
更に、設置用部材６の上面には、そこを洗濯機１がスライドするときの抵抗を減ずる手段としてフェルト９を貼着しており、それによって、洗濯機１を容易にスライドさせることができる。
加えて、厚みｔは、洗濯機１の脚部４，５の突出寸法Ｌよりも大きくしており、それによって、設置用部材６の上面を洗濯機１がスライドするときの脚部４，５の引掛かりをなくして洗濯機１を容易にスライドさせることができる。
そのほか、設置用部材６の両端面部の少なくとも一方には、設置スペース１７の奥側壁面１９の保護をする手段としてフェルト９を貼着しており、それによって、その設置スペース１７の奥側壁面１９を傷付けないようにすることができる。
【００２０】
以上に対して、図１２ないし図１４は本発明の第２及び第３実施例（第２及び第３の実施形態）を示すもので、それぞれ、第１実施例と同一の部分には同一の符号を付して説明を省略し、異なる部分についてのみ述べる。
【００２１】
［第２実施例］
図１２及び図１３に示す第２実施例においては、設置用部材６の下面に、防水パン１０の前部立上がり部１１と後部立上がり部１２に対して滑り止めをする手段として、ゴムシート３１を貼着している。
これにより、設置用部材６の上面を洗濯機１がスライドするときの、防水パン１０上での設置用部材６の滑り動き（特に斜め方向や横方向）を抑止して、洗濯機１を設置しやすくでき、洗濯機１の設置性の一層の向上を図ることができる。
【００２２】
［第３実施例］
図１４に示す第３実施例においては、設置用部材６に代えて、伸縮可能に構成した設置用部材４１を用いるようにしている。この場合、設置用部材４１は、例えば金属製で中空の半部４１ａと、金属又は木製で中空又は中実の半部４１ｂとをスライド可能に嵌合して、任意のスライド位置で固定する固定ねじ４２を設けることにより、伸縮可能に構成している。
【００２３】
これにより、防水パン１０の大きさ（特には奥行）の違いに、設置用部材４１を伸縮させて対応することができる。
なお、設置用部材４１を防水パン１０上に置くには、半部４１ａと半部４１ｂとの合わせ部の段４１ｃが後ろ向きとなるようにすることによって、設置用部材４１の上面を洗濯機１がスライドするときの引掛かりを生じないようにできる。
又、本例の設置用部材４１にも、下面に、第２実施例のゴムシート３１を貼着するようにしても良い。
【００２４】
このほか、本発明は上記し且つ図面に示した実施例にのみ限定されるものではなく、特に設置用部材は棒状以外にそれよりも厚みの少ない板状であっても良く、又、洗濯機もその具体的機能、構成等は前述のようには限られないなど、要旨を逸脱しない範囲内で適宜変更して実施し得る。
【図面の簡単な説明】
【００２５】
【図１】本発明の第１実施例を示す、防水パン及び設置用部材を置いた設置スペースの斜視図
【図２】洗濯機の外観斜視図
【図３】設置用部材単体の斜視図
【図４】図３のＡ−Ａ線に沿う設置用部材の断面図
【図５】洗濯機の設置手順を示す図その１（側面図）
【図６】同手順を示す図その２（側面図）
【図７】同手順を示す図その３（側面図）
【図８】同手順を示す図その４（斜視図）
【図９】同手順を示す図その５（斜視図）
【図１０】同手順を示す図その６（斜視図）
【図１１】同手順を示す図その７（斜視図）
【図１２】本発明の第２実施例を示す図３相当図
【図１３】図４相当図
【図１４】本発明の第３実施例を示す図３相当図
【符号の説明】
【００２６】
図面中、１は洗濯機、４，５は脚部、６は設置用部材、８はシート（抵抗を減ずる手段）、ｔは設置用部材の厚み、Ｌは脚部の突出寸法、９はフェルト（保護をする手段）、１０は防水パン、１１は前部立上がり部、１２は後部立上がり部、３１はゴムシート（滑り止めをする手段）、４１は設置用部材を示す。
【図１】
2008220477.tif 000003
【図２】
2008220477.tif 000004
【図３】
2008220477.tif 000005
【図４】
2008220477.tif 000006
【図５】
2008220477.tif 000007
【図６】
2008220477.tif 000008
【図７】
2008220477.tif 000009
【図８】
2008220477.tif 000010
【図９】
2008220477.tif 000011
【図１０】
2008220477.tif 000012
【図１１】
2008220477.tif 000013
【図１２】
2008220477.tif 000014
【図１３】
2008220477.tif 000015
【図１４】
2008220477.tif 000016